(57)【要約】【課題】不正使用者によるネットワークへのアクセスを防止するネットワークログインシステムを提供する。【解決手段】ＳＩＭカードが装着された携帯電話機と、充電器と、コンピュータ端末とからなり、ＳＩＭカードには、第１のＩＤ情報と第１の指紋データとが記憶され、充電器には、指紋センサーと、携帯電話機から受信する手段と、前記指紋センサーで読み取られた第２の指紋データと、携帯電話機から受信した情報をコンピュータ端末に送信する手段とを有し、コンピュータ端末には、充電器から、情報を受信する手段と、第２のＩＤ情報が予め記憶された記憶手段と、該ＩＤ情報とを照合する第１の照合手段と、充電器から受信した第１の指紋データと第２の指紋データとを照合する第２の照合手段と、第１及び第２の照合手段による照合結果が一致された場合にログイン処理を許可する手段と、を備えていることを特徴とする。【選択図】        図１
2004355057.tif 000002
【特許請求の範囲】
【請求項１】
ＵＩＭ（Ｕｓｅｒ  Ｉｄｅｎｔｉｆｉｃａｔｉｏｎ  Ｍｏｄｕｌｅ）が装着された携帯電話機と、前記携帯電話機に充電を行う充電器と、前記充電器と通信可能に接続されたコンピュータ端末と、からなるネットワークログインシステムであって、
前記ＵＩＭには、第１のＩＤ情報と第１の指紋データとが記憶された記憶手段を有し、
前記充電器には、前記コンピュータ端末の使用者の指紋データを読み取る指紋センサーと、前記携帯電話機に装着されたＵＩＭに記憶された第１のＩＤ情報及び第１の指紋データを受信する手段と、前記指紋センサーで読み取られた第２の指紋データと、前記携帯電話機から受信した第１のＩＤ情報及び第１の指紋データとを前記コンピュータ端末に送信する手段とを有し、
前記コンピュータ端末には、前記充電器から、前記第１のＩＤ情報と前記第１の指紋データと前記第２の指紋データとを受信する手段と、照合用の第２のＩＤ情報が予め記憶された記憶手段と、該記憶手段に記憶された第２のＩＤ情報と前記充電器から受信した第１のＩＤ情報とを照合する第１の照合手段と、前記充電器から受信した第１の指紋データと第２の指紋データとを照合する第２の照合手段と、前記第１の照合手段及び前記第２の照合手段による照合結果が、それぞれ照合一致された場合に、前記コンピュータ端末のログイン処理を許可する手段と、
を備えていることを特徴とするネットワークログインシステム。
【発明の詳細な説明】
【０００１】
【発明の属する技術分野】
本発明は、加入者識別モジュールであるＵＩＭ（Ｕｓｅｒ  Ｉｄｅｎｔｉｆｉｃａｔｉｏｎ  Ｍｏｄｕｌｅ）が装着された携帯電話機と、前記携帯電話機に充電を行う充電器と、前記充電器と通信可能に接続されたコンピュータ端末とにより、不正使用者がネットワークにログインできないようにしたネットワークログインシステムに関する。
【０００２】
【従来の技術】
従来、コンピュータシステムには、個人情報や機密情報などのセキュリティー性の高い情報がデータベース等に登録されているため、アクセス権限のない第三者や不正使用者等がアクセスできないように様々な保護システムが用いられている。
【０００３】
これら第三者などによる不正アクセスに対応するシステムとして、例えばキー情報が記憶された記憶手段を有するＩＣカードやＵＳＢキーなどの記憶媒体を用いて、読み取ったキー情報を照合することで本人確認を行う技術などが既に知られている。（参考文献１）
通常、これらの認証システムでは、コンピュータ端末を使用する１人の使用者が正規のアクセス権を有する者であるか否かを確認し、一旦認証が行われて正規のアクセス権を有する者であると認められてしまえば、その個人の判断で自由に種々のアクセスを行うことが可能となる。
【０００４】
しかしながら、記憶媒体が盗難された場合には、その記憶媒体を使用して不正にパーソナルコンピュータ等のコンピュータ端末を使用して、ネットワークにログインさせ、不正行為を行う危険性もあるという問題がある。
特に、重要機密などの重要情報に対するアクセスを、記憶媒体だけに委ねることは、非常に大きな問題を引き起こす危険性があるといえる。
【０００５】
【特許文献１】
特開２００２−２５１２２６号公報
【０００６】
【発明が解決しようとする課題】
本発明は、コンピュータ端末を使用したログインを行う際に、使用者の確認を記憶媒体だけに委ねることなく、その使用者の指紋による照合も併せて行うことで、セキュリティー性を高め、不正使用者によるネットワークへのアクセスを防止することを可能にしたネットワークログインシステムを提供する。
【０００７】
【課題を解決するための手段】
本発明のネットワークログインシステムは、ＵＩＭ（Ｕｓｅｒ  Ｉｄｅｎｔｉｆｉｃａｔｉｏｎ  Ｍｏｄｕｌｅ）が装着された携帯電話機と、前記携帯電話機に充電を行う充電器と、前記充電器と通信可能に接続されたコンピュータ端末と、からなるネットワークログインシステムであって、前記ＵＩＭには、第１のＩＤ情報と第１の指紋データとが記憶された記憶手段を有し、前記充電器には、前記コンピュータ端末の使用者の指紋データを読み取る指紋センサーと、前記携帯電話機に装着されたＵＩＭに記憶された第１のＩＤ情報及び第１の指紋データを受信する手段と、前記指紋センサーで読み取られた第２の指紋データと、前記携帯電話機から受信した第１のＩＤ情報及び第１の指紋データとを前記コンピュータ端末に送信する手段とを有し、前記コンピュータ端末には、前記充電器から、前記第１のＩＤ情報と前記第１の指紋データと前記第２の指紋データとを受信する手段と、照合用の第２のＩＤ情報が予め記憶された記憶手段と、該記憶手段に記憶された第２のＩＤ情報と前記充電器から受信した第１のＩＤ情報とを照合する第１の照合手段と、前記充電器から受信した第１の指紋データと第２の指紋データとを照合する第２の照合手段と、前記第１の照合手段及び前記第２の照合手段による照合結果が、それぞれ照合一致された場合に、前記コンピュータ端末のログイン処理を許可する手段と、を備えていることを特徴とする。
【０００８】
【発明の実施の形態】
以下、本発明の実施形態に係るネットワークログインシステムを図面に基づいて詳細に説明する。
図１は、本発明の実施形態に係るネットワークログインシステムの構成を示す図、図２は、携帯電話機とＵＩＭの関係を示す図、図３は、本発明の実施形態に係るネットワークログインシステムのシステムブロック図、図４は、本発明の実施形態に係るネットワークログインシステムの処理手順を示すフローチャートである。
【０００９】
本発明の実施形態に係るネットワークログインシステムは、図１に示すように、携帯電話機１と、この携帯電話機１を載置して携帯電話機１に対して電力を供給して充電を行う充電器２と、充電器２に接続されたコンピュータ端末３とを有している。
また、コンピュータ端末３は、インターネットなどのネットワーク４とつながっていて、所定の条件が満たされた場合にネットワーク４にログインできるようにしてある。
【００１０】
充電器２には、使用者の指を載せるための指載部４が設けられており、コンピュータ端末３の使用者が、この指載部４に指を載せることで指紋センサーにより使用者の指紋データを読み取れるように構成されている。
【００１１】
また、図２に示すように、携帯電話機１には、ＵＩＭ（Ｕｓｅｒ  Ｉｄｅｎｔｉｆｉｃａｔｉｏｎ  Ｍｏｄｕｌｅ）５が装着され、このＵＩＭ５には、固有のＩＤ情報と使用者の指紋データとが記憶された記憶手段であるメモリを有している。
ＵＩＭ５は、例えば板状枠体を有するＵＩＭ５ａから切り取ることで、携帯電話機１に装着可能なサイズに形成することができる。
【００１２】
図３に示すように、このＵＩＭ５には、通常、インターフェース６、ＣＰＵ７、ＲＯＭ８、ＲＡＭ９、ＥＥＰＲＯＭ１０を内蔵している。
インターフェース６は、データを送受するための入出力回路であり、ＣＰＵ７は、このインターフェース６を介して携帯電話機１と交信する。
また、ＲＯＭ８内には、ＣＰＵ７によって実行されるべきプログラムが記憶されており、ＣＰＵ７は、このプログラムに基いてＵＩＭ５を統括制御する。
【００１３】
また、ＲＡＭ９は、ＣＰＵ７がこのような統括制御を行う上での作業領域として使用するメモリである。
一方、ＥＥＰＲＯＭ１０は、所定の電圧を印可することにより書き換え可能となるメモリであり、ユーザーデータを記憶するためのユーザエリアとして用いられ、このＥＥＰＲＯＭ１０に、固有のＩＤ情報と使用者の指紋データとが記憶される。
【００１４】
次に、本発明の実施形態に係るネットワークログインシステムのシステム構成を、図３に基いて説明する。
携帯電話機１には、操作部１１、ディスプレイ１２、充電池１３、メモリ１４、電話回路部１５、ＵＩＭ５とデータを送受するための入出力回路であるインターフェース１６、充電器２とデータを送受するための入出力回路であるインターフェース１７、制御部１８、などを備えている。
そして、制御部１８は、インターフェース１６を介して、ＵＩＭ５のＥＥＰＲＯＭ１０に記憶されたＩＤ情報と使用者の指紋データを受信した後、更にインターフェース１７を介して、このＩＤ情報と指紋データとを充電器２に送信するように制御する。
【００１５】
次に、充電器２には、ＡＣ／ＤＣ変換部１９、指紋センサー２０、携帯電話機１とデータを送受するための入出力回路であるインターフェース２１、パーソナルコンピュータ等のコンピュータ端末３とデータを送受するための入出力回路であるインターフェース２２、制御部２３、メモリ３２などを備えている。
ＡＣ／ＤＣ変換部１９は、ＡＣ電源から電力を取り込んで、携帯電話機１の充電池１３に電力を供給する機能を有している。
【００１６】
また、コンピュータ端末３には、充電器２とデータを送受するための入出力回路であるインターフェース２４、表示手段２５、メモリ２６、入力部２７、ＩＤ照合部２８、指紋照合部２９、ネットワークを介して通信を行う通信部３０、制御部３１などを有している。
【００１７】
メモリ２６には、そのコンピュータ端末３を使用する権限を有する使用者を特定するための照合用のＩＤ情報が予め登録しておいてもよいし、または必要に応じてその都度、キーボード等から入力するようにしてもよい。
第１の照合手段であるＩＤ照合部２８は、インターフェース２４を介して充電器２から受信されたＩＤ情報と、メモリ２６に予め登録されている照合用のＩＤ情報とを照合処理する機能を有している。
【００１８】
また、第２の照合手段である指紋照合部２９は、インターフェース２４を介して充電器２から受信された２つの指紋データ、つまり最初にＵＩＭ５に記憶されていた指紋データと、指紋センサー２０により使用者の指から読み取られた指紋データとの２つの指紋データとを照合処理する機能を有している。
メモリ２６には、制御部３１によって実行されるべきプログラムが記憶されており、第１の照合手段であるＩＤ照合部２８による照合処理の結果と、更に第２の照合手段である指紋照合部２９による照合処理の結果と、のいずれの照合結果が一致した場合にだけ、通信部３０によるネットワーク４へのログイン処理が許可されるように制御部３１による制御がされるようにしてある。
【００１９】
次に、本発明の実施形態に係るネットワークログインシステムの処理手順を、図４のフローチャートに基いて説明する。
ここでは、コンピュータ端末３、携帯電話機１、充電器２のいづれの電源がＯＮされた状態にあることを前提として処理手順を説明する。
まず、コンピュータ端末３の使用者は、自分が所有する携帯電話機１を充電器２にセットして、携帯電話機１から充電器２に対して、ＵＩＭに記憶されたＩＤ情報及び指紋データを送信させる。（ステップＳ１）
次に、コンピュータ端末３の使用者は、充電器２の指載部４に使用者の指を載せて、指紋センサーにより使用者の指紋データを読み取らせる。（ステップＳ２）
【００２０】
続いて、充電器２からコンピュータ端末３に対して、充電器２が携帯電話機１から受信したＩＤ情報及び指紋データと、充電器２の指紋センサーにより読み取った使用者の指紋データとを送信させる。（ステップＳ３）
これらの情報を受信したコンピュータ端末３では、第１の照合手段であるＩＤ照合部２８により、インターフェース２４を介して充電器２から受信されたＩＤ情報と、メモリ２６に予め登録、または入力された照合用のＩＤ情報との照合処理が行われる。（ステップＳ４）
【００２１】
この照合処理の結果、照合一致された場合には、第２の照合手段である指紋照合部２９における照合処理が行われる。
照合一致された場合、指紋照合部２９は、インターフェース２４を介して充電器２から受信された２つの指紋データ、つまり最初にＵＩＭ５に記憶されていた指紋データと、指紋センサー２０により使用者の指から読み取られた指紋データとの２つの指紋データとを照合処理する。（ステップＳ５）
この照合処理の結果、照合一致された場合には、制御部３１によりコンピュータ端末３の通信部３０によるネットワーク４へのログイン処理を可能とする制御がなされる。（ステップＳ６）
【００２２】
また、ＩＤ照合部２８によるＩＤ情報の照合処理と、指紋照合部２９による指紋データの照合処理とにおいて、それぞれ照合不一致となった場合には、コンピュータ端末３のメモリ２６のエラーカウントに１カウントをプラスして記憶させる。（ステップＳ７）
そして、このメモリ２６のエラーカウントが予め定められた回数Ｘを超えたか否かが随時判別処理される。（ステップＳ８）
その結果において、エラーカウントが予め定められた回数Ｘを超えない場合には、再度のＩＤ照合部２８によるＩＤ情報の照合処理、または指紋照合部２９による指紋データの照合処理を行うことが可能にしてある。
【００２３】
また、メモリ２６のエラーカウントが予め定められた回数Ｘを超えた場合には、エラーログがメモリに記憶されると共に、表示部２５に警告が表示される。（ステップＳ９）
そして、コンピュータ端末３の制御処理がロックされ、コンピュータ端末３の使用が不可能となる。（ステップＳ１０）
以上の処理により、コンピュータ端末３の使用者本人が、正当な使用権限を有する者である場合にだけ、コンピュータ端末３の使用が行えるように制御される。
【００２４】
【発明の効果】
以上説明したように、本発明のネットワークログインシステムは、ＩＤ情報と指紋データが記憶されたＵＩＭが装着された携帯電話機を用いると共に、使用者本人の指紋をデータとして取り込んで、ＩＤ情報と指紋データとを用いて本人の確認処理を行うので、コンピュータ端末が使用される際に、使用者の確認を記憶媒体だけに委ねることなく、高いセキュリティー性を備え、不正使用者によるネットワークへのアクセスを防止することができるという効果がある。
【図面の簡単な説明】
【図１】本発明の実施形態に係るネットワークログインシステムの構成を示す図である。
【図２】携帯電話機とＵＩＭの関係を示す図である。
【図３】本発明の実施形態に係るネットワークログインシステムのシステムブロック図である。
【図４】本発明の実施形態に係るネットワークログインシステムの処理手順を示すフローチャートである。
【符号の説明】
１  携帯電話機
２  充電器
３  コンピュータ端末
４  ネットワーク
５  ＵＩＭ
６  インターフェース
７  ＣＰＵ
８  ＲＯＭ
９  ＲＡＭ
１０  ＥＥＰＲＯＭ
１１  操作部
１２  ディスプレイ
１３  充電池
１４，２６，３２  メモリ
１５  電話回路部
６，１６，１７，２１，２２，２４  インターフェース
１８，２３，３１  制御部
１９  ＡＣ／ＤＣ変換部
２０  指紋センサー
２５  表示部
２７  入力部
２８  ＩＤ照合部
２９  指紋照合部
３０  通信部
【図１】
2004355057.tif 000003
【図２】
2004355057.tif 000004
【図３】
2004355057.tif 000005
【図４】
2004355057.tif 000006